(57)【要約】      （修正有）【課題】写経時の右手や肘近傍の接触熱や接触押圧による接触荷重等をやわらげることができる写経台を提供する。【解決手段】底板、及びこの底板に設けた、側面と、この側面より内側に折曲げた上面を備えた上板で構成した箱体と、この箱体の折曲げた上面に取付けられる透孔性があり、かつ半透明の写経板と、前記箱体に内蔵した照明具と、で写経台を構成する。さらに、前記箱体の折曲げた上面を、着座した人から向って、手前側の折曲げた幅を奥面側の折曲げた幅よりも大きくする構成、右側の折曲げた幅を左側の折曲げた幅よりも大きくする構成、又は、左側の上面の折曲げた幅を右側の上面の折曲げた幅よりも大きくする構成として写経台を構成する。【選択図】図１
0003155448.tif 000002
【実用新案登録請求の範囲】
【請求項１】
底板、及びこの底板に設けた、側面と、この側面より内側に折曲げた上面を備えた上板で構成した箱体と、この箱体の折曲げた上面に取付けられる透孔性があり、かつ半透明の写経板と、前記箱体に内蔵した照明具と、で構成される写経台であって、
前記箱体の折曲げた上面を、着座した人から向って、手前側と右側、又は左側の上面の折曲げた幅を、向って、奥面側と左側の上面の折曲げた幅より、大きくする構成とした写経台。
【請求項２】
請求項１に記載の写経台であって、
前記箱体を、アルミ鋼材で形成し、写経見本と、紙を磁石で磁着できる構成とした写経台。
【請求項３】
請求項１に記載の写経台であって、
前記箱体の奥面側の側面に取手を設ける構成とした写経台。
【請求項４】
請求項１に記載の写経台であって、
前記照明具が、発光ダイオードとする構成とした写経台。
【考案の詳細な説明】
【技術分野】
【０００１】
本考案は、写経台に関する。
【背景技術】
【０００２】
周知の如く、写経台は、般若心経の写経として利用されることが多く、心の安らぎと、精神安定効果に大いに役立ち、また、修学、教養の向上と、学習意欲の向上、さらに、老人等の障害者のボケ防止と、その訓練等の如く、種々の利点がある。従って、昨今、この種の写経台が重宝されている。また、同じような構造として、透写台、透視複写台があり、これらは、古文書、習字、図面等の模写として、利便性と、正確な模写、又は複製の容易化、正確性が確保されることから、一部で重宝されている。
【０００３】
前述した、写経台や、透写台、透視複写台の構造は、方形は箱体と、この箱体に内蔵した照明具とで構成されている。従って、シンプルで、かつ故障が少なく、場所を取らない特徴がある。しかし、使用時の照明具による熱の問題、例えば、身体、殊に腕に対する熱気の配慮がなく、時間とともに違和感があり、また、時には苦痛を感ずることがあり、その改良が望まれている。また、持ち運びを意図する構造も一部で見当たるが、その目的を十分達するには至っていないのが現況である。
【０００４】
上記に鑑み、この改良と、要望に応え得ると考えられる従来技術を、以下、文献として列挙する。
【０００５】
文献（１）は、特開昭４９−５６７３１号の「透写台」であって、この透写台は、透明図板の下方に照明器具を配置し、この透明図板と照明器具の間に、巻取り、巻き戻し自在の透明幕と、不透明幕を配備し、この透明・不透明幕を組合わせることで、画紙の形状と、面積に対応する構造であり、この画紙の形状と、面積に対応する照明（透視）と、目への抵抗を軽減することを意図する。尚、この発明の箱体の上面（上枠）は、向かって、右側と、下側が広く、これに対して、左側と上側が狭い構造が、第一図、第二図で示されているが、特段、明細書において説明がなく、偶然の産物であり、何の目的もない。強いて検討すると、モータを設けるためのスペースの関係からと考えられる。
【０００６】
また、文献（２）は、実開昭５７−１２５３９０号の「製図台」であり、この製図台は、透明図板の下方に照明器具を配置した構造であり、下からの照明で、元図と、製図紙とを透視可能とする。所謂、透視台の構造と、その効果である。尚、この考案の枠体の上面（上枠）は、向かって、右側が、他の側に対して、広い構造が、第一図で示されているが、特段、明細書において説明がなく、偶然の産物であり、何の目的もない。強いて検討すると、スイッチを設けるためのスペースの関係からと考えられる。
【０００７】
さらに文献（３）は、実開平６−２１９８７号の「金属製光源付写書台」であり、この金属製光源付写書台は、写書台本体の内部に照明器具を内蔵し、その左右側枠を、幅広とする構造であり、この照明器具が、写書台本体の上下方向に移動可能とする。これにより、写書の際に生ずる手や肘の接触の熱による障害を防止するとともに、照明を良好にし、かつ、発熱量を分散することを意図する。尚、この考案の写書台本体の上面（上枠）は、向かって、左右側が、上下側に対して、広い構造が、図１示されているが、特段、明細書において説明がなく、偶然の産物であり、何の目的もない。強いて検討すると、支持脚取付け用のスペースの関係からと考えられる。
【０００８】
【特許文献１】特開昭４９−５６７３１号
【特許文献２】実開昭５７−１２５３９０号
【特許文献３】実開平６−２１９８７号
【考案の概要】
【考案が解決しようとする課題】
【０００９】
前述した文献（１）〜文献（３）の発明等において、箱体の上面が、左右側、及び／又は上下側において、寸法（幅）が相違する構造が開示されている。しかし、この幅の相違に関して、特段の優位性はなく、単なる構造上の事柄であり、特別な意味、又は特徴を有さない。
【００１０】
そして、また、この文献（１）〜文献（３）の発明等では、持ち運びを考えた場合には、照明器具の関係上で、重量と、故障（破損）等の危険性があって、極めて困難性である。
【００１１】
尚、文献（３）で、照明器具が移動することで、手や肘の接触の熱による障害を防止できるが、構造が複雑となり、コストの上昇と、使用に手間を要すること、等の問題を抱えている。
【課題を解決するための手段】
【００１２】
請求項１の考案は、写経（例えば、般若心経）、製図、又は複写等において、手本を基にし、複製（写し）等の書始め時（所作）における右手や肘近傍（肘と、その近傍）の接触熱による障害、及び／又は、右手や肘近傍の接触押圧による荷重、等を最小限度とすること、また、書き慣れる前の瞬間の衝撃を確実に解消することで、その後の所作とスムースに進め、写経の楽しみを満喫すること、等の如く、最初の所作時の熱、及び／又は、荷重による緩衝を図ることを意図する。そして、また、請求項１の考案は、前記熱及び／又は、荷重による緩衝を、簡単で、特段の構造をしなくても目的を達成すること、低コストで達成すること、等を意図する。
【００１３】
請求項１は、底板、及びこの底板に設けた（被嵌された）、側面と、この側面より内側に折曲げた上面を備えた上板で構成した箱体と、この箱体の折曲げた上面に取付けられる透孔性があり、かつ半透明の写経板と、前記箱体に内蔵した照明具と、で構成される写経台であって、
前記箱体の折曲げた上面を、着座した人から向って、手前側と右側、又は左側の上面の折曲げた幅を、向って、奥面側と左側の上面の折曲げた幅より、大きくする構成とした写経台である。
【００１４】
請求項２の考案は、請求項１の目的を達成すること、また、この写経台に、写本と、紙を、簡易、かつ確実に設置すること、等を意図する。
【００１５】
請求項２は、請求項１に記載の写経台であって、
前記箱体を、アルミ鋼材で形成し、写経見本と、紙を磁石で磁着できる構成とした写経台である。
【００１６】
請求項３の考案は、請求項１の目的を達成すること、また、この写経台を、簡易、かつ確実、また、確りと持ち運び、かつ写経台の安定した状態で待ち運ぶこと、等を意図する。
【００１７】
請求項３は、請求項１に記載の写経台であって、
前記箱体の奥面側の側面に、この側面に平行でなる杆体の取手を設ける構成とした写経台である。
【００１８】
請求項４の考案は、請求項１の目的を達成すること、また、この写経台を、簡易、かつ確実に持ち運び、かつ写経台・照明具の故障をなくすこと、等を意図する。
【００１９】
請求項４は、請求項１に記載の写経台であって、
前記照明具が、発光ダイオードとする構成とした写経台である。
【考案の効果】
【００２０】
請求項１の考案は、底板、及びこの底板に設けた、側面と、この側面より内側に折曲げた上面を備えた上板で構成した箱体と、箱体の折曲げた上面に取付けられる透孔性があり、かつ半透明の写経板と、箱体に内蔵した照明具と、で構成される写経台であって、
箱体の折曲げた上面を、着座した人から向って、手前側と右側、又は左側の上面の折曲げた幅を、向って、奥面側と左側の上面の折曲げた幅より、大きくする構成とした写経台である。
【００２１】
従って、請求項１は、写経（例えば、般若心経）、製図、又は複写等において、手本を基にし、複製（写し）等の書始め時（所作）における右手や肘近傍の接触熱による障害、及び／又は、右手や肘近傍の接触押圧による荷重、等を最小限度とすること、また、書き慣れる前の瞬間の衝撃を確実に解消することで、その後の所作とスムースに進め、写経の楽しみを満喫できること、等の如く、最初の所作時の熱、及び／又は、荷重による緩衝が図れる特徴を有する。そして、また、請求項１は、前記熱及び／又は、荷重による緩衝を、簡単で、特段の構造をしなくても目的を達成できること、低コストで達成できること、等の特徴を有する。
【００２２】
請求項２の考案は、請求項１に記載の写経台であって、
箱体を、アルミ鋼材で形成し、写経見本と、紙を磁石で磁着できる構成とした写経台である。
【００２３】
従って、請求項２は、請求項１の目的を達成できること、また、この写経台に、写本と、紙を、簡易、かつ確実に設置できること、等の特徴を有する。
【００２４】
請求項３の考案は、請求項１に記載の写経台であって、
箱体の奥面側の側面に、側面に平行でなる杆体の取手を設ける構成とした写経台である。
【００２５】
従って、請求項３は、請求項１の目的を達成できること、また、この写経台を、簡易、かつ確実、また、確りと持ち運び、かつ写経台の安定した状態で待ち運びができること、等の特徴を有する。
【００２６】
請求項４の考案は、請求項１に記載の写経台であって、
照明具が、発光ダイオードとする構成とした写経台である。
【００２７】
従って、請求項４は、請求項１の目的を達成できること、また、この写経台を、簡易、かつ確実に持ち運び、かつ写経台・照明具の故障をなくし得ること、等の特徴を有する。
【図面の簡単な説明】
【００２８】
【図１】写経台の斜視図
【図２】写経台の平面図
【図３】写経台のＡ−Ａ断面図
【図４】写経台のＢ−Ｂ断面図
【図５】写経台の照明具と底板を示した要部平面図
【図６】写経の複製を始めた所作で、右手や肘近傍を、上面の右側に接触した状態の一部欠截の模式図
【図７】写経の複製を始め、途中の所作で、右手や肘近傍を、上面の手前側と、写経板に接触した状態の模式図
【考案を実施するための形態】
【００２９】
１は平面視して、長方形（向かって横方向に長く、大型半紙の大きさの形態）でなる方形箱体で、この箱体１は、磁着性を供えたアルミ鋼材で構成する。そして、この箱体１は、壁面１００を備えた底板１０１と、この底板１０１の壁面１００に被嵌される、向って（以下、同じ）、左右側・手前側、奥面側（上下側）の側面１０２〜１０５と、この側面１０２〜１０５より内側に折曲げた左右側・手前側、奥面側（左右側・手前側、奥面側である）の上面１０６〜１０９で形成された上板１１０で構成される。また、この左右側・手前側、奥面側の上面１０６〜１０９は、その折曲げた幅（幅である）Ａ１〜Ａ４は、次のような構造である。即ち、右利きの場合には、右側の上面１０７の幅Ａ２と、手前側の上面１０８の幅Ａ３が広く、左側の上面１０６の幅Ａ１と、奥面側の上面１０９の幅Ａ４が狭い構造とする。そして、美観及び／又は強度を考慮して、幅Ａ２と、幅Ａ３を略同じとし、また、幅Ａ１と、幅Ａ４を略同じとした構造が望ましく考えられる。そして、別の例として、左利きの場合には、特例として、左側の上面１０６の幅Ａ１と、手前側の上面１０８の幅Ａ３が広く、右側の上面１０７の幅Ａ２と、奥面側の上面１０９の幅Ａ４が狭い構造とする。また、美観等の考え方は、前述の例に準ずる。尚、上板１１０と後述する写経板８は一体となる構造であり、この一体を利用し、前記底板１０１より取外される。
【００３０】
２は照明具で、この照明具２は発光ダイオード（ＬＥＤ）であって、底板１０１に間隔３をもって設けた基板５に略均等な間隔で設置される。また、図中６は照明具２の制御部、７はコードを示す。
【００３１】
８は透孔性があり、かつ半透明の写経板で、この写経板８は、各上面Ａ１〜Ａ４の裏面に設けた一個、又は複数個の支持具１０を利用して、箱体１の開口部１ａに取付けられる。この開口部１ａは、写経板８で閉塞される。そして、この写経板８の上には、写本１１と紙１２がセットされる。
【００３２】
１５は取手で、この取手１５は、箱体１の奥面側の側面１０５に、この側面１０５より延設した支持杆１５００と、この支持杆１５００に取付けた、この側面１０５に平行でなる杆体１５０１で構成し、この杆体１５０１を支持して、写経台を持ち運ぶ構造であるが、この杆体１５０１が杆部材であり、容易、かつ確実に把持しながら、安心して持運び、かつ移動できる利点がある。そして、箱体１を把持して、移動する際に、この杆体１５０１が、側面１０５（箱体１）に平行となるので、全体の荷重を、確実に受止め、この箱体１が盲動することなく、安定していることと、機材の損傷も皆無であること、等の実益がある。
【００３３】
次に、この写経台の使用の一例を説明すると、写経板８の上には、写本１１（写経見本）と紙１２を、例えば、磁石１６を利用して、所定の箇所にセットし、スイッチを入れると、照明具２が点灯し、この写本１１と紙１２を光りが透過することで、明るく文字が浮かび上がった状態となり、般若心経を、順次、書き写すことができる。即ち、違和感なく、かつスムースに、複写ができる。そして、本考案の特徴は、写経の複製を始める際に、人Ｈの右手Ｈ１や肘近傍Ｈ２が、右側の上面１０７に接触した状態となり、接触熱による弊害を解消できること、安心して写経できる特徴がある。また、写経の途中では、右手Ｈ１や肘近傍Ｈ２を、手前側の上面１０８に接触した状態となり、前述と同様な所作が可能となり、かつこの右手Ｈ１や肘近傍Ｈ２に力を入れても、写経板８に影響せず有益である。また、この写経板８の損傷も皆無である。そして、写経が終了した段階で、磁石１６を外し、紙１２を取外すことで、一例の所作が終了する。
【符号の説明】
【００３４】
１            箱体
１ａ          開口部
１００        壁面
１０１        底板
１０２        側面
１０３        側面
１０４        側面
１０５        側面
１０６        上面
１０７        上面
１０８        上面
１０９        上面
１１０        上板
２            照明具
３            間隔
５            基板
６            制御部
７            コード
８            写経板
１０          支持具
１１          写本
１２          紙
１５          取手
１５００      支持杆
１５０１      杆体
１６          磁石
Ａ１          幅
Ａ２          幅
Ａ３          幅
Ａ４          幅
Ｈ            人
Ｈ１          右手
Ｈ２          肘近傍
【図１】
0003155448.tif 000003
【図２】
0003155448.tif 000004
【図３】
0003155448.tif 000005
【図４】
0003155448.tif 000006
【図５】
0003155448.tif 000007
【図６】
0003155448.tif 000008
【図７】
0003155448.tif 000009
【手続補正書】
【提出日】平成21年8月19日(2009.8.19)
【手続補正１】
【補正対象書類名】実用新案登録請求の範囲
【補正対象項目名】全文
【補正方法】変更
【補正の内容】
【実用新案登録請求の範囲】
【請求項１】
底板、及びこの底板に設けた、側面と、この側面より内側に折曲げた上面を備えた上板で構成した箱体と、この箱体の折曲げた上面に取付けられる透孔性があり、かつ半透明の写経板と、前記箱体に内蔵した照明具と、で構成される写経台であって、
前記箱体の折曲げた上面を、着座した人から向って、手前側と右側、又は左側の上面の折曲げた幅を、向って、奥面側と左側、又は右側の上面の折曲げた幅より、大きくする構成とした写経台。
【請求項２】
請求項１に記載の写経台であって、
前記箱体を、アルミ鋼材で形成し、写経見本と、紙を磁石で磁着できる構成とした写経台。
【請求項３】
請求項１に記載の写経台であって、
前記箱体の奥面側の側面に取手を設ける構成とした写経台。
【請求項４】
請求項１に記載の写経台であって、
前記照明具が、発光ダイオードとする構成とした写経台。
【手続補正２】
【補正対象書類名】明細書
【補正対象項目名】全文
【補正方法】変更
【補正の内容】
【考案の詳細な説明】
【技術分野】
【０００１】
本考案は、写経台に関する。
【背景技術】
【０００２】
周知の如く、写経台は、般若心経の写経として利用されることが多く、心の安らぎと、精神安定効果に大いに役立ち、また、修学、教養の向上と、学習意欲の向上、さらに、老人等の障害者のボケ防止と、その訓練等の如く、種々の利点がある。従って、昨今、この種の写経台が重宝されている。また、同じような構造として、透写台、透視複写台があり、これらは、古文書、習字、図面等の模写として、利便性と、正確な模写、又は複製の容易化、正確性が確保されることから、一部で重宝されている。
【０００３】
前述した、写経台や、透写台、透視複写台の構造は、方形は箱体と、この箱体に内蔵した照明具とで構成されている。従って、シンプルで、かつ故障が少なく、場所を取らない特徴がある。しかし、使用時の照明具による熱の問題、例えば、身体、殊に腕に対する熱気の配慮がなく、時間とともに違和感があり、また、時には苦痛を感ずることがあり、その改良が望まれている。また、持ち運びを意図する構造も一部で見当たるが、その目的を十分達するには至っていないのが現況である。
【０００４】
上記に鑑み、この改良と、要望に応え得ると考えられる従来技術を、以下、文献として列挙する。
【０００５】
文献（１）は、特開昭４９−５６７３１号の「透写台」であって、この透写台は、透明図板の下方に照明器具を配置し、この透明図板と照明器具の間に、巻取り、巻き戻し自在の透明幕と、不透明幕を配備し、この透明・不透明幕を組合わせることで、画紙の形状と、面積に対応する構造であり、この画紙の形状と、面積に対応する照明（透視）と、目への抵抗を軽減することを意図する。尚、この発明の箱体の上面（上枠）は、向かって、右側と、下側が広く、これに対して、左側と上側が狭い構造が、第一図、第二図で示されているが、特段、明細書において説明がなく、偶然の産物であり、何の目的もない。強いて検討すると、モータを設けるためのスペースの関係からと考えられる。
【０００６】
また、文献（２）は、実開昭５７−１２５３９０号の「製図台」であり、この製図台は、透明図板の下方に照明器具を配置した構造であり、下からの照明で、元図と、製図紙とを透視可能とする。所謂、透視台の構造と、その効果である。尚、この考案の枠体の上面（上枠）は、向かって、右側が、他の側に対して、広い構造が、第一図で示されているが、特段、明細書において説明がなく、偶然の産物であり、何の目的もない。強いて検討すると、スイッチを設けるためのスペースの関係からと考えられる。
【０００７】
さらに文献（３）は、実開平６−２１９８７号の「金属製光源付写書台」であり、この金属製光源付写書台は、写書台本体の内部に照明器具を内蔵し、その左右側枠を、幅広とする構造であり、この照明器具が、写書台本体の上下方向に移動可能とする。これにより、写書の際に生ずる手や肘の接触の熱による障害を防止するとともに、照明を良好にし、かつ、発熱量を分散することを意図する。尚、この考案の写書台本体の上面（上枠）は、向かって、左右側が、上下側に対して、広い構造が、図１示されているが、特段、明細書において説明がなく、偶然の産物であり、何の目的もない。強いて検討すると、支持脚取付け用のスペースの関係からと考えられる。
【０００８】
【特許文献１】特開昭４９−５６７３１号
【特許文献２】実開昭５７−１２５３９０号
【特許文献３】実開平６−２１９８７号
【考案の概要】
【考案が解決しようとする課題】
【０００９】
前述した文献（１）〜文献（３）の発明等において、箱体の上面が、左右側、及び／又は上下側において、寸法（幅）が相違する構造が開示されている。しかし、この幅の相違に関して、特段の優位性はなく、単なる構造上の事柄であり、特別な意味、又は特徴を有さない。
【００１０】
そして、また、この文献（１）〜文献（３）の発明等では、持ち運びを考えた場合には、照明器具の関係上で、重量と、故障（破損）等の危険性があって、極めて困難性である。
【００１１】
尚、文献（３）で、照明器具が移動することで、手や肘の接触の熱による障害を防止できるが、構造が複雑となり、コストの上昇と、使用に手間を要すること、等の問題を抱えている。
【課題を解決するための手段】
【００１２】
請求項１の考案は、写経（例えば、般若心経）、製図、又は複写等において、手本を基にし、複製（写し）等の書始め時（所作）における右手や肘近傍（肘と、その近傍）の接触熱による障害、及び／又は、右手や肘近傍の接触押圧による荷重、等を最小限度とすること、また、書き慣れる前の瞬間の衝撃を確実に解消することで、その後の所作とスムースに進め、写経の楽しみを満喫すること、等の如く、最初の所作時の熱、及び／又は、荷重による緩衝を図ることを意図する。そして、また、請求項１の考案は、前記熱及び／又は、荷重による緩衝を、簡単で、特段の構造をしなくても目的を達成すること、低コストで達成すること、等を意図する。
【００１３】
請求項１は、底板、及びこの底板に設けた（被嵌された）、側面と、この側面より内側に折曲げた上面を備えた上板で構成した箱体と、この箱体の折曲げた上面に取付けられる透孔性があり、かつ半透明の写経板と、前記箱体に内蔵した照明具と、で構成される写経台であって、
前記箱体の折曲げた上面を、着座した人から向って、手前側と右側、又は左側の上面の折曲げた幅を、向って、奥面側と左側、又は右側の上面の折曲げた幅より、大きくする構成とした写経台である。
【００１４】
請求項２の考案は、請求項１の目的を達成すること、また、この写経台に、写本と、紙を、簡易、かつ確実に設置すること、等を意図する。
【００１５】
請求項２は、請求項１に記載の写経台であって、
前記箱体を、アルミ鋼材で形成し、写経見本と、紙を磁石で磁着できる構成とした写経台である。
【００１６】
請求項３の考案は、請求項１の目的を達成すること、また、この写経台を、簡易、かつ確実、また、確りと持ち運び、かつ写経台の安定した状態で待ち運ぶこと、等を意図する。
【００１７】
請求項３は、請求項１に記載の写経台であって、
前記箱体の奥面側の側面に、この側面に平行でなる杆体の取手を設ける構成とした写経台である。
【００１８】
請求項４の考案は、請求項１の目的を達成すること、また、この写経台を、簡易、かつ確実に持ち運び、かつ写経台・照明具の故障をなくすこと、等を意図する。
【００１９】
請求項４は、請求項１に記載の写経台であって、
前記照明具が、発光ダイオードとする構成とした写経台である。
【考案の効果】
【００２０】
請求項１の考案は、底板、及びこの底板に設けた、側面と、この側面より内側に折曲げた上面を備えた上板で構成した箱体と、箱体の折曲げた上面に取付けられる透孔性があり、かつ半透明の写経板と、箱体に内蔵した照明具と、で構成される写経台であって、
箱体の折曲げた上面を、着座した人から向って、手前側と右側、又は左側の上面の折曲げた幅を、向って、奥面側と左側、又は右側の上面の折曲げた幅より、大きくする構成とした写経台である。
【００２１】
従って、請求項１は、写経（例えば、般若心経）、製図、又は複写等において、手本を基にし、複製（写し）等の書始め時（所作）における右手や肘近傍の接触熱による障害、及び／又は、右手や肘近傍の接触押圧による荷重、等を最小限度とすること、また、書き慣れる前の瞬間の衝撃を確実に解消することで、その後の所作とスムースに進め、写経の楽しみを満喫できること、等の如く、最初の所作時の熱、及び／又は、荷重による緩衝が図れる特徴を有する。そして、また、請求項１は、前記熱及び／又は、荷重による緩衝を、簡単で、特段の構造をしなくても目的を達成できること、低コストで達成できること、等の特徴を有する。
【００２２】
請求項２の考案は、請求項１に記載の写経台であって、
箱体を、アルミ鋼材で形成し、写経見本と、紙を磁石で磁着できる構成とした写経台である。
【００２３】
従って、請求項２は、請求項１の目的を達成できること、また、この写経台に、写本と、紙を、簡易、かつ確実に設置できること、等の特徴を有する。
【００２４】
請求項３の考案は、請求項１に記載の写経台であって、
箱体の奥面側の側面に、側面に平行でなる杆体の取手を設ける構成とした写経台である。
【００２５】
従って、請求項３は、請求項１の目的を達成できること、また、この写経台を、簡易、かつ確実、また、確りと持ち運び、かつ写経台の安定した状態で待ち運びができること、等の特徴を有する。
【００２６】
請求項４の考案は、請求項１に記載の写経台であって、
照明具が、発光ダイオードとする構成とした写経台である。
【００２７】
従って、請求項４は、請求項１の目的を達成できること、また、この写経台を、簡易、かつ確実に持ち運び、かつ写経台・照明具の故障をなくし得ること、等の特徴を有する。
【図面の簡単な説明】
【００２８】
【図１】写経台の斜視図
【図２】写経台の平面図
【図３】写経台のＡ−Ａ断面図
【図４】写経台のＢ−Ｂ断面図
【図５】写経台の照明具と底板を示した要部平面図
【図６】写経の複製を始めた所作で、右手や肘近傍を、上面の右側に接触した状態の一部欠截の模式図
【図７】写経の複製を始め、途中の所作で、右手や肘近傍を、上面の手前側と、写経板に接触した状態の模式図
【考案を実施するための形態】
【００２９】
１は平面視して、長方形（向かって横方向に長く、大型半紙の大きさの形態）でなる方形箱体で、この箱体１は、磁着性を供えたアルミ鋼材で構成する。そして、この箱体１は、壁面１００を備えた底板１０１と、この底板１０１の壁面１００に被嵌される、向って（以下、同じ）、左右側・手前側、奥面側（上下側）の側面１０２〜１０５と、この側面１０２〜１０５より内側に折曲げた左右側・手前側、奥面側（左右側・手前側、奥面側である）の上面１０６〜１０９で形成された上板１１０で構成される。また、この左右側・手前側、奥面側の上面１０６〜１０９は、その折曲げた幅（幅である）Ａ１〜Ａ４は、次のような構造である。即ち、右利きの場合には、右側の上面１０７の幅Ａ２と、手前側の上面１０８の幅Ａ３が広く、左側の上面１０６の幅Ａ１と、奥面側の上面１０９の幅Ａ４が狭い構造とする。そして、美観及び／又は強度を考慮して、幅Ａ２と、幅Ａ３を略同じとし、また、幅Ａ１と、幅Ａ４を略同じとした構造が望ましく考えられる。そして、別の例として、左利きの場合には、特例として、左側の上面１０６の幅Ａ１と、手前側の上面１０８の幅Ａ３が広く、右側の上面１０７の幅Ａ２と、奥面側の上面１０９の幅Ａ４が狭い構造とする。また、美観等の考え方は、前述の例に準ずる。尚、上板１１０と後述する写経板８は一体となる構造であり、この一体を利用し、前記底板１０１より取外される。
【００３０】
２は照明具で、この照明具２は発光ダイオード（ＬＥＤ）であって、底板１０１に間隔３をもって設けた基板５に略均等な間隔で設置される。また、図中６は照明具２の制御部、７はコードを示す。
【００３１】
８は透孔性があり、かつ半透明の写経板で、この写経板８は、各上面Ａ１〜Ａ４の裏面に設けた一個、又は複数個の支持具１０を利用して、箱体１の開口部１ａに取付けられる。この開口部１ａは、写経板８で閉塞される。そして、この写経板８の上には、写本１１と紙１２がセットされる。
【００３２】
１５は取手で、この取手１５は、箱体１の奥面側の側面１０５に、この側面１０５より延設した支持杆１５００と、この支持杆１５００に取付けた、この側面１０５に平行でなる杆体１５０１で構成し、この杆体１５０１を支持して、写経台を持ち運ぶ構造であるが、この杆体１５０１が杆部材であり、容易、かつ確実に把持しながら、安心して持運び、かつ移動できる利点がある。そして、箱体１を把持して、移動する際に、この杆体１５０１が、側面１０５（箱体１）に平行となるので、全体の荷重を、確実に受止め、この箱体１が盲動することなく、安定していることと、機材の損傷も皆無であること、等の実益がある。
【００３３】
次に、この写経台の使用の一例を説明すると、写経板８の上には、写本１１（写経見本）と紙１２を、例えば、磁石１６を利用して、所定の箇所にセットし、スイッチを入れると、照明具２が点灯し、この写本１１と紙１２を光りが透過することで、明るく文字が浮かび上がった状態となり、般若心経を、順次、書き写すことができる。即ち、違和感なく、かつスムースに、複写ができる。そして、本考案の特徴は、写経の複製を始める際に、人Ｈの右手Ｈ１や肘近傍Ｈ２が、右側の上面１０７に接触した状態となり、接触熱による弊害を解消できること、安心して写経できる特徴がある。また、写経の途中では、右手Ｈ１や肘近傍Ｈ２を、手前側の上面１０８に接触した状態となり、前述と同様な所作が可能となり、かつこの右手Ｈ１や肘近傍Ｈ２に力を入れても、写経板８に影響せず有益である。また、この写経板８の損傷も皆無である。そして、写経が終了した段階で、磁石１６を外し、紙１２を取外すことで、一例の所作が終了する。
【符号の説明】
【００３４】
１            箱体
１ａ          開口部
１００        壁面
１０１        底板
１０２        側面
１０３        側面
１０４        側面
１０５        側面
１０６        上面
１０７        上面
１０８        上面
１０９        上面
１１０        上板
２            照明具
３            間隔
５            基板
６            制御部
７            コード
８            写経板
１０          支持具
１１          写本
１２          紙
１５          取手
１５００      支持杆
１５０１      杆体
１６          磁石
Ａ１          幅
Ａ２          幅
Ａ３          幅
Ａ４          幅
Ｈ            人
Ｈ１          右手
Ｈ２          肘近傍
【手続補正書】
【提出日】平成21年9月9日(2009.9.9)
【手続補正１】
【補正対象書類名】実用新案登録請求の範囲
【補正対象項目名】全文
【補正方法】変更
【補正の内容】
【実用新案登録請求の範囲】
【請求項１】
底板、及びこの底板に設けた、側面と、この側面より内側に折曲げた上面を備えた上板で構成した箱体と、この箱体の折曲げた上面に取付けられる透孔性があり、かつ半透明の写経板と、前記箱体に内蔵した照明具と、で構成される写経台であって、
前記箱体の折曲げた上面を、着座した人から向って、手前側の折曲げた幅を奥面側の折曲げた幅よりも大きくする構成、右側の折曲げた幅を左側の折曲げた幅よりも大きくする構成、又は、左側の上面の折曲げた幅を右側の上面の折曲げた幅よりも大きくする構成とした写経台。
【請求項２】
請求項１に記載の写経台であって、
前記箱体を、アルミ鋼材で形成し、写経見本と、紙を磁石で磁着できる構成とした写経台。
【請求項３】
請求項１に記載の写経台であって、
前記箱体の奥面側の側面に取手を設ける構成とした写経台。
【請求項４】
請求項１に記載の写経台であって、
前記照明具が、発光ダイオードとする構成とした写経台。
【手続補正２】
【補正対象書類名】明細書
【補正対象項目名】全文
【補正方法】変更
【補正の内容】
【考案の詳細な説明】
【技術分野】
【０００１】
本考案は、写経台に関する。
【背景技術】
【０００２】
周知の如く、写経台は、般若心経の写経として利用されることが多く、心の安らぎと、精神安定効果に大いに役立ち、また、修学、教養の向上と、学習意欲の向上、さらに、老人等の障害者のボケ防止と、その訓練等の如く、種々の利点がある。従って、昨今、この種の写経台が重宝されている。また、同じような構造として、透写台、透視複写台があり、これらは、古文書、習字、図面等の模写として、利便性と、正確な模写、又は複製の容易化、正確性が確保されることから、一部で重宝されている。
【０００３】
前述した、写経台や、透写台、透視複写台の構造は、方形は箱体と、この箱体に内蔵した照明具とで構成されている。従って、シンプルで、かつ故障が少なく、場所を取らない特徴がある。しかし、使用時の照明具による熱の問題、例えば、身体、殊に腕に対する熱気の配慮がなく、時間とともに違和感があり、また、時には苦痛を感ずることがあり、その改良が望まれている。また、持ち運びを意図する構造も一部で見当たるが、その目的を十分達するには至っていないのが現況である。
【０００４】
上記に鑑み、この改良と、要望に応え得ると考えられる従来技術を、以下、文献として列挙する。
【０００５】
文献（１）は、特開昭４９−５６７３１号の「透写台」であって、この透写台は、透明図板の下方に照明器具を配置し、この透明図板と照明器具の間に、巻取り、巻き戻し自在の透明幕と、不透明幕を配備し、この透明・不透明幕を組合わせることで、画紙の形状と、面積に対応する構造であり、この画紙の形状と、面積に対応する照明（透視）と、目への抵抗を軽減することを意図する。尚、この発明の箱体の上面（上枠）は、向かって、右側と、下側が広く、これに対して、左側と上側が狭い構造が、第一図、第二図で示されているが、特段、明細書において説明がなく、偶然の産物であり、何の目的もない。強いて検討すると、モータを設けるためのスペースの関係からと考えられる。
【０００６】
また、文献（２）は、実開昭５７−１２５３９０号の「製図台」であり、この製図台は、透明図板の下方に照明器具を配置した構造であり、下からの照明で、元図と、製図紙とを透視可能とする。所謂、透視台の構造と、その効果である。尚、この考案の枠体の上面（上枠）は、向かって、右側が、他の側に対して、広い構造が、第一図で示されているが、特段、明細書において説明がなく、偶然の産物であり、何の目的もない。強いて検討すると、スイッチを設けるためのスペースの関係からと考えられる。
【０００７】
さらに文献（３）は、実開平６−２１９８７号の「金属製光源付写書台」であり、この金属製光源付写書台は、写書台本体の内部に照明器具を内蔵し、その左右側枠を、幅広とする構造であり、この照明器具が、写書台本体の上下方向に移動可能とする。これにより、写書の際に生ずる手や肘の接触の熱による障害を防止するとともに、照明を良好にし、かつ、発熱量を分散することを意図する。尚、この考案の写書台本体の上面（上枠）は、向かって、左右側が、上下側に対して、広い構造が、図１示されているが、特段、明細書において説明がなく、偶然の産物であり、何の目的もない。強いて検討すると、支持脚取付け用のスペースの関係からと考えられる。
【０００８】
【特許文献１】特開昭４９−５６７３１号
【特許文献２】実開昭５７−１２５３９０号
【特許文献３】実開平６−２１９８７号
【考案の概要】
【考案が解決しようとする課題】
【０００９】
前述した文献（１）〜文献（３）の発明等において、箱体の上面が、左右側、及び／又は上下側において、寸法（幅）が相違する構造が開示されている。しかし、この幅の相違に関して、特段の優位性はなく、単なる構造上の事柄であり、特別な意味、又は特徴を有さない。
【００１０】
そして、また、この文献（１）〜文献（３）の発明等では、持ち運びを考えた場合には、照明器具の関係上で、重量と、故障（破損）等の危険性があって、極めて困難性である。
【００１１】
尚、文献（３）で、照明器具が移動することで、手や肘の接触の熱による障害を防止できるが、構造が複雑となり、コストの上昇と、使用に手間を要すること、等の問題を抱えている。
【課題を解決するための手段】
【００１２】
請求項１の考案は、写経（例えば、般若心経）、製図、又は複写等において、手本を基にし、複製（写し）等の書始め時（所作）における右手や肘近傍（肘と、その近傍）の接触熱による障害、及び／又は、右手や肘近傍の接触押圧による荷重、等を最小限度とすること、また、書き慣れる前の瞬間の衝撃を確実に解消することで、その後の所作とスムースに進め、写経の楽しみを満喫すること、等の如く、最初の所作時の熱、及び／又は、荷重による緩衝を図ることを意図する。そして、また、請求項１の考案は、前記熱及び／又は、荷重による緩衝を、簡単で、特段の構造をしなくても目的を達成すること、低コストで達成すること、等を意図する。
【００１３】
請求項１は、底板、及びこの底板に設けた（被嵌された）、側面と、この側面より内側に折曲げた上面を備えた上板で構成した箱体と、この箱体の折曲げた上面に取付けられる透孔性があり、かつ半透明の写経板と、前記箱体に内蔵した照明具と、で構成される写経台であって、
前記箱体の折曲げた上面を、着座した人から向って、手前側の折曲げた幅を奥面側の折曲げた幅よりも大きくする構成、右側の折曲げた幅を左側の折曲げた幅よりも大きくする構成、又は、左側の上面の折曲げた幅を右側の上面の折曲げた幅よりも大きくする構成とした写経台である。
【００１４】
請求項２の考案は、請求項１の目的を達成すること、また、この写経台に、写本と、紙を、簡易、かつ確実に設置すること、等を意図する。
【００１５】
請求項２は、請求項１に記載の写経台であって、
前記箱体を、アルミ鋼材で形成し、写経見本と、紙を磁石で磁着できる構成とした写経台である。
【００１６】
請求項３の考案は、請求項１の目的を達成すること、また、この写経台を、簡易、かつ確実、また、確りと持ち運び、かつ写経台の安定した状態で待ち運ぶこと、等を意図する。
【００１７】
請求項３は、請求項１に記載の写経台であって、
前記箱体の奥面側の側面に、この側面に平行でなる杆体の取手を設ける構成とした写経台である。
【００１８】
請求項４の考案は、請求項１の目的を達成すること、また、この写経台を、簡易、かつ確実に持ち運び、かつ写経台・照明具の故障をなくすこと、等を意図する。
【００１９】
請求項４は、請求項１に記載の写経台であって、
前記照明具が、発光ダイオードとする構成とした写経台である。
【考案の効果】
【００２０】
請求項１の考案は、底板、及びこの底板に設けた、側面と、この側面より内側に折曲げた上面を備えた上板で構成した箱体と、箱体の折曲げた上面に取付けられる透孔性があり、かつ半透明の写経板と、箱体に内蔵した照明具と、で構成される写経台であって、
箱体の折曲げた上面を、着座した人から向って、手前側の折曲げた幅を奥面側の折曲げた幅よりも大きくする構成、右側の折曲げた幅を左側の折曲げた幅よりも大きくする構成、又は、左側の上面の折曲げた幅を右側の上面の折曲げた幅よりも大きくする構成とした写経台である。
【００２１】
従って、請求項１は、写経（例えば、般若心経）、製図、又は複写等において、手本を基にし、複製（写し）等の書始め時（所作）における右手や肘近傍の接触熱による障害、及び／又は、右手や肘近傍の接触押圧による荷重、等を最小限度とすること、また、書き慣れる前の瞬間の衝撃を確実に解消することで、その後の所作とスムースに進め、写経の楽しみを満喫できること、等の如く、最初の所作時の熱、及び／又は、荷重による緩衝が図れる特徴を有する。そして、また、請求項１は、前記熱及び／又は、荷重による緩衝を、簡単で、特段の構造をしなくても目的を達成できること、低コストで達成できること、等の特徴を有する。
【００２２】
請求項２の考案は、請求項１に記載の写経台であって、
箱体を、アルミ鋼材で形成し、写経見本と、紙を磁石で磁着できる構成とした写経台である。
【００２３】
従って、請求項２は、請求項１の目的を達成できること、また、この写経台に、写本と、紙を、簡易、かつ確実に設置できること、等の特徴を有する。
【００２４】
請求項３の考案は、請求項１に記載の写経台であって、
箱体の奥面側の側面に、側面に平行でなる杆体の取手を設ける構成とした写経台である。
【００２５】
従って、請求項３は、請求項１の目的を達成できること、また、この写経台を、簡易、かつ確実、また、確りと持ち運び、かつ写経台の安定した状態で待ち運びができること、等の特徴を有する。
【００２６】
請求項４の考案は、請求項１に記載の写経台であって、
照明具が、発光ダイオードとする構成とした写経台である。
【００２７】
従って、請求項４は、請求項１の目的を達成できること、また、この写経台を、簡易、かつ確実に持ち運び、かつ写経台・照明具の故障をなくし得ること、等の特徴を有する。
【図面の簡単な説明】
【００２８】
【図１】写経台の斜視図
【図２】写経台の平面図
【図３】写経台のＡ−Ａ断面図
【図４】写経台のＢ−Ｂ断面図
【図５】写経台の照明具と底板を示した要部平面図
【図６】写経の複製を始めた所作で、右手や肘近傍を、上面の右側に接触した状態の一部欠截の模式図
【図７】写経の複製を始め、途中の所作で、右手や肘近傍を、上面の手前側と、写経板に接触した状態の模式図
【考案を実施するための形態】
【００２９】
１は平面視して、長方形（向かって横方向に長く、大型半紙の大きさの形態）でなる方形箱体で、この箱体１は、磁着性を供えたアルミ鋼材で構成する。そして、この箱体１は、壁面１００を備えた底板１０１と、この底板１０１の壁面１００に被嵌される、向って（以下、同じ）、左右側・手前側、奥面側（上下側）の側面１０２〜１０５と、この側面１０２〜１０５より内側に折曲げた左右側・手前側、奥面側（左右側・手前側、奥面側である）の上面１０６〜１０９で形成された上板１１０で構成される。また、この左右側・手前側、奥面側の上面１０６〜１０９は、その折曲げた幅（幅である）Ａ１〜Ａ４は、次のような構造である。即ち、右利きの場合には、右側の上面１０７の幅Ａ２と、手前側の上面１０８の幅Ａ３が広く、左側の上面１０６の幅Ａ１と、奥面側の上面１０９の幅Ａ４が狭い構造とする。そして、美観及び／又は強度を考慮して、幅Ａ２と、幅Ａ３を略同じとし、また、幅Ａ１と、幅Ａ４を略同じとした構造が望ましく考えられる。そして、別の例として、左利きの場合には、特例として、左側の上面１０６の幅Ａ１と、手前側の上面１０８の幅Ａ３が広く、右側の上面１０７の幅Ａ２と、奥面側の上面１０９の幅Ａ４が狭い構造とする。また、美観等の考え方は、前述の例に準ずる。尚、上板１１０と後述する写経板８は一体となる構造であり、この一体を利用し、前記底板１０１より取外される。
【００３０】
２は照明具で、この照明具２は発光ダイオード（ＬＥＤ）であって、底板１０１に間隔３をもって設けた基板５に略均等な間隔で設置される。また、図中６は照明具２の制御部、７はコードを示す。
【００３１】
８は透孔性があり、かつ半透明の写経板で、この写経板８は、各上面Ａ１〜Ａ４の裏面に設けた一個、又は複数個の支持具１０を利用して、箱体１の開口部１ａに取付けられる。この開口部１ａは、写経板８で閉塞される。そして、この写経板８の上には、写本１１と紙１２がセットされる。
【００３２】
１５は取手で、この取手１５は、箱体１の奥面側の側面１０５に、この側面１０５より延設した支持杆１５００と、この支持杆１５００に取付けた、この側面１０５に平行でなる杆体１５０１で構成し、この杆体１５０１を支持して、写経台を持ち運ぶ構造であるが、この杆体１５０１が杆部材であり、容易、かつ確実に把持しながら、安心して持運び、かつ移動できる利点がある。そして、箱体１を把持して、移動する際に、この杆体１５０１が、側面１０５（箱体１）に平行となるので、全体の荷重を、確実に受止め、この箱体１が盲動することなく、安定していることと、機材の損傷も皆無であること、等の実益がある。
【００３３】
次に、この写経台の使用の一例を説明すると、写経板８の上には、写本１１（写経見本）と紙１２を、例えば、磁石１６を利用して、所定の箇所にセットし、スイッチを入れると、照明具２が点灯し、この写本１１と紙１２を光りが透過することで、明るく文字が浮かび上がった状態となり、般若心経を、順次、書き写すことができる。即ち、違和感なく、かつスムースに、複写ができる。そして、本考案の特徴は、写経の複製を始める際に、人Ｈの右手Ｈ１や肘近傍Ｈ２が、右側の上面１０７に接触した状態となり、接触熱による弊害を解消できること、安心して写経できる特徴がある。また、写経の途中では、右手Ｈ１や肘近傍Ｈ２を、手前側の上面１０８に接触した状態となり、前述と同様な所作が可能となり、かつこの右手Ｈ１や肘近傍Ｈ２に力を入れても、写経板８に影響せず有益である。また、この写経板８の損傷も皆無である。そして、写経が終了した段階で、磁石１６を外し、紙１２を取外すことで、一例の所作が終了する。
【符号の説明】
【００３４】
１            箱体
１ａ          開口部
１００        壁面
１０１        底板
１０２        側面
１０３        側面
１０４        側面
１０５        側面
１０６        上面
１０７        上面
１０８        上面
１０９        上面
１１０        上板
２            照明具
３            間隔
５            基板
６            制御部
７            コード
８            写経板
１０          支持具
１１          写本
１２          紙
１５          取手
１５００      支持杆
１５０１      杆体
１６          磁石
Ａ１          幅
Ａ２          幅
Ａ３          幅
Ａ４          幅
Ｈ            人
Ｈ１          右手
Ｈ２          肘近傍